(57)【特許請求の範囲】
【請求項１】
画像を撮影して該画像の画像データを出力する撮像手段と、
前記撮像手段から出力された画像データを一時的に記憶する記憶手段と、
前記記憶手段に画像データが残っているか否かを判断する第１の判断手段と、
前記記憶手段に記憶した画像データを記録媒体に記録する記録手段と、
前記記録手段が使用可能か否かを判断する第２の判断手段と、
前記記憶手段に記憶された画像データまたは前記記録手段に記録された画像データを、通信により外部処理装置に転送するための通信手段と、
前記記憶手段に記憶された画像データを前記通信手段により前記外部処理装置に転送する転送モードにおいて、前記第２の判断手段により前記記録手段が使用不可能であると判断され、且つ、前記第１の判断手段により前記記憶手段に画像データが残っていると判断された場合に、前記撮像手段による撮影を禁止する制御手段と
を有することを特徴とする撮像装置。
【請求項２】
前記制御手段により撮影を禁止した場合に、当該制御内容を通知する通知手段を更に有することを特徴とする請求項１に記載の撮像装置。
【請求項３】
前記制御手段は、前記転送モードにおいて、前記第２の判断手段により前記記録手段が使用可能であると判断された場合に、前記第１の判断手段の判断結果に関わらず、前記撮像手段による撮影を許可することを特徴とする請求項１または２に記載の撮像装置。
【請求項４】
前記撮像装置は、前記通信手段により通信中の前記外部処理装置から制御可能であって、前記制御手段は、前記外部処理装置から撮影を指示された場合に、前記第２の判断手段による前記記録手段が使用可能か否かの判断結果に関わらず、前記撮像手段による撮影を許可し、前記通信手段は、該撮影した画像の画像データを前記外部処理装置に転送することを特徴とする請求項１乃至３のいずれか１項に記載の撮像装置。
【請求項５】
前記撮像装置は、動画撮影が可能であって、
前記制御手段は、前記転送モードにおいて、前記動画撮影を禁止することを特徴とする請求項１乃至４のいずれか１項に記載の撮像装置。
【請求項６】
前記通信手段は、無線通信を行う手段であることを特徴とする請求項１乃至５のいずれか１項に記載の撮像装置。
【請求項７】
画像を撮影して該画像の画像データを出力する撮像手段と、前記撮像手段から出力された画像データを一時的に記憶する記憶手段と、該記憶手段に記憶した画像データを記録媒体に記録する記録手段と、外部処理装置と通信するための通信手段とを有する撮像装置の制御方法であって、
前記記録手段が使用可能か否かを判断する第１の判断ステップと、
前記記憶手段に画像データが残っているか否かを判断する第２の判断ステップと、
前記記憶手段に記憶された画像データを前記外部処理装置に転送する転送ステップと、
前記転送ステップの実行中に、前記第１の判断ステップにより前記記録手段が使用不可能であると判断され、且つ、前記第２の判断ステップにより前記記憶手段に画像データが残っていると判断された場合に、前記撮像手段による撮影を禁止する制御ステップと
を有することを特徴とする制御方法。
【請求項８】
前記制御ステップで撮影を禁止した場合に、当該制御内容を通知する通知ステップを更に有することを特徴とする請求項７に記載の制御方法。
【請求項９】
前記転送ステップの実行中に、前記第１の判断ステップにより前記記録手段が使用可能であると判断された場合に、前記第２の判断ステップの判断結果に関わらず、前記撮像手段による撮影を許可するステップを更に有することを特徴とする請求項７または８に記載の制御方法。
【請求項１０】
前記撮像装置は、前記通信手段により通信中の前記外部処理装置から制御可能であって、前記外部処理装置から撮影を指示された場合に、前記第１の判断ステップによる前記記録手段が使用可能か否かの判断結果に関わらず、前記撮像手段による撮影を許可するステップを更に有し、
前記転送ステップでは、該撮影した画像の画像データを前記外部処理装置に転送するように制御することを特徴とする請求項７乃至９のいずれか１項に記載の制御方法。
【請求項１１】
前記撮像装置は、動画撮影が可能であって、
前記転送ステップの実行中は、前記動画撮影を禁止するステップを更に有することを特徴とする請求項７乃至１０のいずれか１項に記載の制御方法。
【請求項１２】
前記通信手段は、無線通信を行う手段であることを特徴とする請求項７乃至１１のいずれか１項に記載の制御方法。
【請求項１３】
コンピュータに、請求項７乃至１２のいずれか１項に記載の制御方法の各工程を実行させるためのプログラム。
【請求項１４】
請求項１３に記載のプログラムを格納したことを特徴とするコンピュータが読み取り可能な記憶媒体。
【発明の詳細な説明】
【技術分野】
【０００１】
本発明は、静止画像や動画像を撮像し、撮像した画像を記憶、通信、記録、再生可能な撮像装置及びその制御方法に関する。
【背景技術】
【０００２】
従来、固体メモリ素子を有するメモリカードを記録媒体として、静止画像や動画像を記録再生する電子カメラ等の撮像装置は既に市販されている。更に、音声データや画像データを通信・保存するパソコン等の画像処理装置も販売されている。
【０００３】
これらの電子カメラやパソコンからなる撮像システムを携行することにより、事務所や家庭等の屋内での作業に拘束されずに、屋外において機動的な業務推進を行うことが可能となっている。
【０００４】
特に、通信機能を備えた電子カメラにより撮影した画像データを、通信機能を備えたパソコンに無線通信を用いて転送するなど、電子カメラとパソコンを協調して動作させることにより、利便性の良い撮像システムを構築することが可能となっている。
【０００５】
【特許文献１】特開２０００−１１５６６９号公報
【発明の開示】
【発明が解決しようとする課題】
【０００６】
しかしながら、特に電子カメラとパソコンが無線通信により接続される場合、次のような問題があった。即ち、電子カメラの使用者がシャッターボタンを押して撮影した画像が確実に保存されることを期待しているにも関わらず、転送が完了する前に無線状況が悪化して無線通信が切断されてしまい、画像データが転送できなくなってしまうことがあった。その場合、撮影した画像が記録媒体に記録されず、また、無線切断のために画像処理装置にも転送・保存されずに消失してしまう。
【０００７】
また、記憶媒体を使用可能な電子カメラも存在するが、記憶媒体の空き容量が足りなくなったり、記憶媒体が電子カメラから外された時など、何らかの理由で記録媒体が使用できない状態にある場合には、同様の問題が生じていた。
【０００８】
本発明は上記問題点を鑑みてなされたものであり、撮影した画像を無線通信により転送する場合に、撮影した画像の消失をできるだけ少なくすることを目的とする。
【課題を解決するための手段】
【０００９】
上記目的を達成するために、本発明の撮像装置は、画像を撮影して該画像の画像データを出力する撮像手段と、前記撮像手段から出力された画像データを一時的に記憶する記憶手段と、前記記憶手段に画像データが残っているか否かを判断する第１の判断手段と、前記記憶手段に記憶した画像データを記録媒体に記録する記録手段と、前記記録手段が使用可能か否かを判断する第２の判断手段と、前記記憶手段に記憶された画像データまたは前記記録手段に記録された画像データを、通信により外部処理装置に転送するための通信手段と、前記記憶手段に記憶された画像データを前記通信手段により前記外部処理装置に転送する転送モードにおいて、前記第２の判断手段により前記記録手段が使用不可能であると判断され、且つ、前記第１の判断手段により前記記憶手段に画像データが残っていると判断された場合に、前記撮像手段による撮影を禁止する制御手段とを有する。
【００１０】
また、画像を撮影して該画像の画像データを出力する撮像手段と、前記撮像手段から出力された画像データを一時的に記憶する記憶手段と、該記憶手段に記憶した画像データを記録媒体に記録する記録手段と、外部処理装置と通信するための通信手段とを有する撮像装置の本発明の制御方法は、前記記録手段が使用可能か否かを判断する第１の判断ステップと、前記記憶手段に画像データが残っているか否かを判断する第２の判断ステップと、前記記憶手段に記憶された画像データを前記外部処理装置に転送する転送ステップと、前記転送ステップの実行中に、前記第１の判断ステップにより前記記録手段が使用不可能であると判断され、且つ、前記第２の判断ステップにより前記記憶手段に画像データが残っていると判断された場合に、前記撮像手段による撮影を禁止する制御ステップと
を有する。
【発明の効果】
【００１１】
本発明によれば、撮影した画像を無線通信により転送する場合に、撮影した画像の消失をできるだけ少なくすることができる。
【発明を実施するための最良の形態】
【００１２】
以下、添付図面を参照して本発明を実施するための最良の形態を詳細に説明する。ただし、本形態において例示される構成部品の寸法、形状、それらの相対配置などは、本発明が適用される装置の構成や各種条件により適宜変更されるべきものであり、本発明がそれらの例示に限定されるものではない。
【００１３】
図１は、本発明の実施の形態のシステムの全体構成を示す図である。
【００１４】
図１において、１００は撮像装置、２００は記録媒体、３００は画像処理装置である。
【００１５】
撮像装置１００は通信回路１１０、アンテナ１１２を介して、画像処理装置３００は通信回路３３０、アンテナ３３２を介して、無線通信により相互にコマンド、撮影画像を含むデータを送受している。
【００１６】
撮像装置１００と画像処理装置３００間の無線通信は、IEEE802.11b、IEEE802.11g等の無線LAN通信、Bluetooth等のスペクトラム拡散方式等により行われている。
【００１７】
撮像装置１００は、レンズ３１０を通して撮像した画像データを通信回路１１０、アンテナ１１２、アンテナ３３２、通信回路３３０を介して、画像処理装置３００に送信する。画像処理装置３００は受信した画像データを着脱可能な記録媒体２００に記録すると共に、通信回路３２６、アンテナ３２８を介して、他の画像処理装置或いは通信基地局に送信することができる。
【００１８】
＜撮像装置１００の構成説明＞
図２は、本発明の実施の形態における画像処理機能を有する撮像装置１００の構成を示すブロック図である。なお撮像装置１００としては、デジタルカメラ、デジタルビデオカメラ、カメラ付き携帯端末（カメラ付き携帯電話を含む）等があり、何れであってもよい。
【００１９】
図２において、１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００２０】
１８は撮像素子１４、Ａ／Ｄ変換器１６、Ｄ／Ａ変換器２６にそれぞれクロック信号や制御信号を供給するタイミング発生回路であり、メモリ制御回路２２及びシステム制御回路５０により制御される。
【００２１】
２０は画像処理回路であり、Ａ／Ｄ変換器１６からのデータ或いはメモリ制御回路２２からのデータに対して所定の画素補間処理や色変換処理を行う。また、画像処理回路２０は、Ａ／Ｄ変換器１６から出力される画像データを用いて所定の演算処理を行う。そして、得られた演算結果に基づいてシステム制御回路５０が露光制御部４０、測距制御部４２に対して、ＴＴＬ（スルー・ザ・レンズ）方式のオートフォーカス（ＡＦ）処理、自動露出（ＡＥ）処理、フラッシュプリ発光（ＥＦ）処理を行っている。さらに、画像処理回路２０は、Ａ／Ｄ変換器１６から出力される画像データを用いて所定の演算処理を行い、得られた演算結果に基づいてＴＴＬ方式のオートホワイトバランス（ＡＷＢ）処理も行っている。
【００２２】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６から出力される画像データは、画像処理回路２０、メモリ制御回路２２を介して、或いはメモリ制御回路２２のみを介して、画像表示メモリ２４或いはメモリ３０に書き込まれる。
【００２３】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。画像表示部２８を用いて、撮像した画像データを逐次表示することで、電子ビューファインダー（ＥＶＦ）機能を実現することができる。また、画像表示部２８は、システム制御回路５０の指示により任意に表示をＯＮ／ＯＦＦすることが可能であり、表示をＯＦＦにした場合には撮像装置１００の電力消費を大幅に低減することができる。
【００２４】
３０は撮影した静止画像や動画像を格納するための揮発性メモリ及び或いは不揮発性メモリからなるメモリであり、所定枚数の静止画像や所定時間の動画像を格納するのに十分な記憶容量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００２５】
３２は適応離散コサイン変換（ＡＤＣＴ）等、公知の圧縮方法を用いて画像データを圧縮・伸長する圧縮・伸長回路である。圧縮・伸長回路３２は、メモリ３０に格納された画像を読み込んで圧縮処理或いは伸長処理を行い、処理を終えたデータを再びメモリ３０に書き込む。
【００２６】
４０は露光制御部であり、絞り機能を備えるシャッター１２を制御する。露光制御部４０は、フラッシュ４８と連携することによりフラッシュ調光機能も有する。４２は撮影レンズ１０のフォーカシングを制御する測距制御部、４４は撮影レンズ１０のズーミングを制御するズーム制御部、４６はバリア１０２の動作を制御するバリア制御部である。４８はフラッシュであり、ＡＦ補助光の投光機能、フラッシュ調光機能も有する。露光制御部４０及び測距制御部４２はＴＴＬ方式を用いて制御されている。上述の通り、Ａ／Ｄ変換器１６からの画像データを画像処理回路２０によって演算した演算結果に基づき、システム制御回路５０が露光制御部４０及び測距制御部４２を制御する。
【００２７】
５０は撮像装置１００全体を制御するシステム制御回路、５２はシステム制御回路５０の動作用の定数、変数、プログラム等を記憶するメモリである。
【００２８】
５４はシステム制御回路５０でのプログラムの実行に応じて、文字、画像、音声などを用いて動作状態やメッセージなどを外部に通知するための通知部である。通知部５４としては、例えばＬＣＤやＬＥＤなどによる視覚的な表示を行う表示部や音声による通知を行う発音素子などが用いられるが、これらのうち１つ以上の組み合わせにより構成される。特に、表示部の場合には、撮像装置１００の操作部７０近辺の、視認しやすい、単数あるいは複数箇所に設置されている。また、通知部５４は、その一部の機能が光学ファインダー１０４内に設置されている。
【００２９】
通知部５４の表示内容の内、ＬＣＤなどに表示するものとしては以下のものがある。まず、シングルショット／連写撮影表示、セルフタイマー表示等、撮影モードに関する表示がある。また、圧縮率表示、記録画素数表示、記録枚数表示、残撮影可能枚数表示等の記録に関する表示がある。また、シャッタースピード表示、絞り値表示、露出補正表示、フラッシュ表示、赤目緩和表示等の撮影条件に関する表示がある。その他に、マクロ撮影表示、ブザー設定表示、時計用電池残量表示、電池残量表示、エラー表示、複数桁の数字による情報表示、記録媒体２００の着脱状態表示、通信Ｉ／Ｆ動作表示、日付・時刻表示なども行われる。
【００３０】
また、通知部５４の表示内容の内、光学ファインダー１０４内に表示するものとしては、合焦表示、手ぶれ警告表示、フラッシュ充電表示、シャッタースピード表示、絞り値表示、露出補正表示などがある。
【００３１】
５６は電気的に消去・記録可能な不揮発性メモリであり、例えばＥＥＰＲＯＭ等が用いられる。
【００３２】
５８は識別情報を記憶した識別情報記憶部で、通信回路１１０、アンテナ１１２を介して画像処理装置３００と通信を行う際に、通信に先立って認証を行うための各種識別情報が格納されている。なお、識別情報記憶部５８は不揮発性メモリ５６や他のメモリの一部として構成しても良い。
【００３３】
６０、６２、６４、６６、７０及び７２は、システム制御回路５０の各種の動作指示を入力するための操作手段であり、スイッチやダイアル、タッチパネル、視線検知によるポインティング、音声認識装置等の単数或いは複数の組み合わせで構成される。
【００３４】
ここで、これらの操作手段の具体的な説明を行う。
【００３５】
６０はモードダイアルスイッチで、少なくとも動画を記録する動画記録モードと、静止画を撮影する静止画記録モードと、PC接続モード等の各機能モードを設定可能な、記録された動画または静止画を再生する再生モードとを含む各機能モードを切り替え設定することができる。
【００３６】
６２はシャッタースイッチＳＷ１で、不図示のシャッターボタンの第１ストローク（例えば半押し）によりＯＮとなり、ＡＦ処理、ＡＥ処理、ＡＷＢ処理、ＥＦ処理等の動作開始を指示する。
【００３７】
６４はシャッタースイッチＳＷ２で、不図示のシャッターボタンの第２ストローク（例えば全押し）によりＯＮとなり、露光処理、現像処理、及び記録処理からなる一連の処理の動作開始を指示する。まず、露光処理では、撮像素子１４から読み出した信号をＡ／Ｄ変換器１６、メモリ制御回路２２を介して画像データをメモリ３０に書き込み、更に、画像処理回路２０やメモリ制御回路２２での演算を用いた現像処理が行われる。更に、メモリ３０から画像データを読み出し、圧縮・伸張回路３２で圧縮を行い、記録媒体２００に画像データを書き込む記録処理が行われる。
【００３８】
６６は単写／連写スイッチで、シャッタースイッチＳＷ２を押した場合に１駒の撮影を行って待機状態とする単写モードと、シャッタースイッチＳＷ２を押している間は連続して撮影を行い続ける連写モードを設定することができる。
【００３９】
７０は各種ボタンやタッチパネルなどから成る操作部である。一例として、メニューボタン、セットボタン、マクロボタン、マルチ画面再生改ページボタン、フラッシュ設定ボタン、セルフタイマボタン、メニュー移動＋（プラス）ボタン、メニュー移動−（マイナス）ボタンを含む。また、再生画像移動＋（プラス）ボタン、再生画像移動−（マイナス）ボタン、撮影画質選択ボタン、露出補正ボタン、日付／時間設定ボタン、マルチ画面再生・消去モード設定スイッチなども含む。更に、ワンショットＡＦモードとサーボＡＦモードのいずれかを設定するためのＡＦモード設定スイッチを有する。ワンショットＡＦモードでは、シャッタースイッチＳＷ１が押されるとオートフォーカス動作を開始し、一旦合焦したならばその合焦状態を保ち続ける。サーボＡＦモードでは、シャッタースイッチＳＷ１を押している間は連続してオートフォーカス動作を続ける。更に、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ等がある。更に、ＪＰＥＧ圧縮の圧縮率を選択するため或いは撮像素子の信号をそのままディジタル化して記録媒体に記録するCCDRAWモードを選択する圧縮モードスイッチ等がある。また、画像処理装置３００との通信開始を指示する通信開始ボタン、終了を指示する通信終了ボタン、接続先の登録（ペアリング）ボタンなども含む。また、上記プラスボタン及びマイナスボタンの各機能は、回転ダイアルスイッチを備えることによって、より軽快に数値や機能を選択することが可能となる。
【００４０】
７２はメインスイッチで、電源オン及び電源オフを切り替え設定することができる。
【００４１】
８０は電源制御部で、電池検出回路、ＤＣ−ＤＣコンバータ、通電するブロックを切り替えるスイッチ回路等により構成されている。電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４２】
８２、８４はコネクタ、８６はアルカリ電池やリチウム電池等の一次電池やＮｉＣｄ電池やＮｉＭＨ電池、Ｌｉ−ｉｏｎ電池、Ｌｉポリマー電池等の二次電池、ＡＣアダプター等からなる電源部である。
【００４３】
９０はメモリカードやハードディスク等の記録媒体とのインタフェース、９２はメモリカードやハードディスク等の記録媒体と接続を行うコネクタである。
【００４４】
なお、本実施の形態では、記録媒体を取り付けるインタフェース及びコネクタを１系統持つものとして説明しているが、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００４５】
インタフェース及びコネクタとしては、ＰＣＭＣＩＡ（Personal Computer Memory Card International Association）カードやＣＦ（コンパクトフラッシュ（登録商標））カード等の規格に準拠したものを用いて構成することが可能である。また、ＳＤ（セキュアデジタル）メモリーカード、ＭＭＣ（マルチメディアカード）を用いて構成しても構わない。インタフェース９０及びコネクタ９２をＰＣＭＣＩＡカードやＣＦ（登録商標）カード、ＳＤカード等の規格に準拠したものを用いて構成した場合、各種通信カードを接続することが可能になる。通信カードとしては、例えば、ＬＡＮカードやモデムカード、ＵＳ（Universal Serial Bus）２カード、ＩＥＥＥ（Institute of Electrical and Electronic Engineers）１３９４カード、Ｐ１２８４カード等がある。更に、例えば、ＳＣＳＩ（Small Computer System Interface）カード、ＰＨＳ等の通信カード等であってもよい。これら通信カードを接続することで、他のコンピュータやプリンタ等の周辺機器との間で画像データや画像データに付属した管理情報を転送し合うことができる。
【００４６】
９４はコネクタ９２に記録媒体２００が装着されているか否かを検知する記録媒体着脱検知回路である。
【００４７】
１０２は、撮像装置１００のレンズ１０を含む撮像部を覆う事により、撮像部の汚れや破損を防止する保護装置であるバリアである。
【００４８】
１０４は光学ファインダであり、画像表示部２８による電子ファインダー機能を使用すること無しに、光学ファインダーのみを用いて撮影を行うことが可能である。また、光学ファインダー１０４内には、通知部５４の一部の機能、例えば、合焦状態、手振れ警告、フラッシュ充電、シャッタースピード、絞り値、露出補正などが表示される。
【００４９】
１１０は通信回路で、IEEE802.11b、IEEE802.11g等の無線LAN通信、Ｂｌｕｅｔｏｏｔｈ等のスペクトラム拡散通信、ＩｒＤＡ等の赤外線通信等の各種近距離高速データ通信機能を有する。
【００５０】
１１２は通信回路１１０により撮像装置１００を他の機器と接続するアンテナである。
【００５１】
＜記録媒体２００の構成説明＞
２００はメモリカードやハードディスク等の記録媒体である。
【００５２】
記録媒体２００は、半導体メモリや磁気ディスク等から構成される記録部２０２、撮像装置１００や画像処理装置３００とのインタフェース２０４や接続を行うコネクタ２０６、識別情報を記憶する識別情報記憶部２０８を備えている。
【００５３】
なお、記録媒体２００としては、PCMCIAカードやＣＦ（コンパクトフラッシュ（登録商標））カード、SD（セキュアデジタル）メモリーカード、ＭＭＣ（マルチメディアカード）等のメモリカード、ハードディスク等を用いることができる。他に、マイクロDAT、光磁気ディスク、CD-RやCD-WR等の光ディスク、DVD等の相変化型光ディスク等で構成されていても勿論問題無い。
【００５４】
また、記録媒体２００はメモリカードとハードディスク等が一体となった複合媒体であっても勿論問題無い。さらに、その複合媒体から一部が着脱可能な構成としても勿論問題無い。
【００５５】
＜画像処理装置３００の構成説明＞
図３は、本発明の実施の形態における画像処理装置３００の構成を示すブロック図である。
【００５６】
図３において、３１０は音声を電気信号に変換するマイク、３１２はマイクのアナログ出力信号をディジタル信号に変換するＡ／Ｄ変換器である。
【００５７】
３１４はメモリ制御回路であり、Ａ／Ｄ変換器３１２の出力データがメモリ制御回路３１４を介してメモリ３２０に書き込まれ、また、メモリ３２０から読み出されたデータがＤ／Ａ変換器３１６に入力される。
【００５８】
３１６はディジタル信号をアナログ信号に変換するＤ／Ａ変換器、３１８は電気信号を音声信号に変換するスピーカーである。
【００５９】
３２０はマイク３１０で入力した音声及び或いは撮像装置１００から送信された静止画像や動画像を格納するためのメモリであり、所定時間の音声及び或いは所定枚数の静止画像、所定時間の動画像を格納するのに十分な記憶容量を備えている。
【００６０】
３２２はメモリ３２０に格納された静止画像データや動画データをアナログ信号に変換するＤ／Ａ変換器、３２４はＤ／Ａ変換器３２２の出力画像信号を表示する画像表示部である。
【００６１】
３２６は通信回路で、ＴＤＭＡ、ＣＤＭＡ、Ｗ−ＣＤＭＡ等の各種遠距離無線通信機能を有する。３２８は通信回路３２６により画像処理装置３００を他の画像処理装置及び或いは通信基地局と回線接続するアンテナである。
【００６２】
３３０は通信回路で、IEEE802.11b、IEEE802.11g等の無線LAN通信、Ｂｌｕｅｔｏｏｔｈ等のスペクトラム拡散通信、ＩｒＤＡ等の赤外線通信等の各種近距離高速データ通信機能を有する。３３２は通信回路３３０により画像処理装置３００を他の機器と接続するアンテナである。
【００６３】
３５０は画像処理装置３００全体を制御するシステム制御回路、３５２はシステム制御回路３５０の動作用の定数、変数、プログラム等を記憶するメモリである。３５４は電気的に消去・記録可能な不揮発性メモリであり、例えばEEPROM等が用いられる。
【００６４】
３５６は識別情報を記憶した識別情報記憶部で、通信回路３３０、アンテナ３３２を介して撮像装置１００と通信を行う際に、通信に先立って認証を行うための各種識別情報が格納されている。なお、識別情報記憶部３５６は不揮発性メモリ３５４や他のメモリの一部として構成しても良い。
【００６５】
３６０はシステム制御回路３５０でのプログラムの実行に応じて、文字、画像、音声等を用いて動作状態やメッセージなどを外部に通知するための通知部である。通知部３６０としては、例えばＬＣＤやＬＥＤなどによる視覚的な表示を行う表示部や音声による通知を行う発音素子などが用いられるが、これらのうち１つ以上の組み合わせにより構成される。特に、表示部の場合には、画像処理装置３００の操作部３６２近辺の、視認しやすい、単数あるいは複数箇所に設置されている。
【００６６】
３６２はシステム制御回路３５０の各種の動作指示を入力するための操作部であり、スイッチやダイアル、タッチパネル、視線検知によるポインティング、音声認識装置等の単数或いは複数の組み合わせで構成される。
【００６７】
操作部３６２によれば、画像処理装置３００の電源オン／オフ、通話の実行（オフフック）／停止（オンフック）、電話番号入力、電話番号検索、通信モード切り替え、等の操作を行うことができる。
【００６８】
３６４は着信通知部で、他の画像処理装置や通信基地局から通話の着信があった場合に、呼出し音、発声音、音楽等の音声及び或いはアイコン、動画、静止画、発光等の画像及び或いは振動等により画像処理装置３００の使用者に着信を通知することができる。
【００６９】
３６６はコネクタ３９２に記録媒体２００が装着されているか否かを検知する記録媒体着脱検知回路である。
【００７０】
３８０は電源制御部で、電池検出回路、ＤＣ−ＤＣコンバータ、通電するブロックを切り替えるスイッチ回路等により構成されている。電池の装着の有無、電池の種類、電池残量の検出を行い、検出結果及びシステム制御回路３５０の指示に基づいてDC-DCコンバータを制御し、必要な電圧を必要な期間、記録媒体を含む各部へ供給する。
【００７１】
３８２、３８４はコネクタ、３８６はアルカリ電池やリチウム電池等の一次電池やＮｉＣｄ電池やＮｉＭＨ電池、Ｌｉ−ｉｏｎ電池、Ｌｉポリマー電池等の二次電池、ＡＣアダプター等からなる電源部である。
【００７２】
３９０はメモリカードやハードディスク等の記録媒体とのインタフェース、３９２はメモリカードやハードディスク等の記録媒体と接続を行うコネクタである。
【００７３】
なお、本実施の形態では記録媒体を取り付けるインタフェース及びコネクタを１系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００７４】
インタフェース及びコネクタとしては、ＰＣＭＣＩＡカードやＣＦ（登録商標）カード、ＳＤカード、ＭＭＣカード等の規格に準拠したものを用いて構成することが可能である。なお、本発明はこれらの規格に限られるものではなく、その他の規格に準拠するようにしても構わない。インタフェース３９０及びコネクタ３９２をＰＣＭＣＩＡカードやＣＦ（登録商標）カード、ＳＤメモリーカード等の規格に準拠したものを用いて構成した場合、各種通信カードを接続することが可能になる。通信カードとしては、例えば、ＬＡＮカードやモデムカード、ＵＳ２カード、ＩＥＥＥ１３９４カード、Ｐ１２８４カード、ＳＣＳＩカード、ＰＨＳ等の通信カード等であってもよい。これら通信カードを接続することで、他のコンピュータやプリンタ等の周辺機器との間で画像データや画像データに付属した管理情報を転送し合うことができる。
【００７５】
＜撮像装置１００の動作説明＞
次に、図４乃至図１０を参照して、本実施の形態の上記構成を有する撮像装置１００の動作について説明する。
【００７６】
図４は本実施の形態の撮像装置１００の主ルーチンのフローチャートを示す。
【００７７】
図４において、メインスイッチ７２によるＯＮ操作や電池交換等の電源投入により、システム制御回路５０はフラグや制御変数等を初期化すると共に、撮像装置１００各部の初期化処理を行う（ステップＳ１０１）。
【００７８】
次に、システム制御回路５０はメインスイッチ７２の状態を確認する（ステップＳ１０２）。電源ＯＦＦに設定されていたならば、各表示部の表示を終了状態に変更し、バリア１０２を閉じて撮像部を保護し、フラグや制御変数等を含む必要なパラメータや設定値、設定モードを不揮発性メモリ５６に記録する。更に、システム制御回路５０は、電源制御部８０により画像表示部２８を含む撮像装置１００各部の不要な電源を遮断する等の所定の終了処理を行った後（ステップＳ１０３）、ステップＳ１０２に戻る。
【００７９】
ステップＳ１０２でメインスイッチ７２が電源ＯＮに設定されていたならば、ステップＳ１０４に進む。ステップＳ１０４において、システム制御回路５０は、電源制御部８０により電池等により構成される電源８６の残容量や動作情況が撮像装置１００の動作に問題があるか否かを判断する。問題があるならば（ステップＳ１０４でＮＯ）、通知部５４や画像表示部２８を用いて画像や音声により所定の警告を行った後に（ステップＳ１０５）、上述したステップＳ１０３の処理を行い、ステップＳ１０２に戻る。
【００８０】
一方、電源８６に問題が無いならば（ステップＳ１０４でＹＥＳ）、ステップＳ１０６に進む。そして、システム制御回路５０は、通知部５４及び或いは画像表示部２８を用いて画像や音声により電池残容量やメモリ３０の状態を含む撮像装置１００の各種設定状態の表示を行い、ステップＳ１０７に進む。
【００８１】
ステップＳ１０７において、システム制御回路５０は、操作部７０に含まれる接続先の登録（ペアリング）ボタンが押されているかどうかを判断する。押されていれば、システム制御回路５０は、通信回路１１０、アンテナ１１２、アンテナ３３２、通信回路３３０を介して、画像処理装置３００との間で接続先の登録処理を実行し（ステップＳ１０８）、押されていないならばステップＳ１０９に進む。
【００８２】
接続先の登録処理（ステップＳ１０８）においては、撮像装置１００が画像処理装置３００等の無線機能を備える機器と無線接続するために必要な接続相手の無線パラメータを事前に取得する。そして、取得した無線パラメータを撮像装置１００内部のシステム制御回路５０の内部メモリ及び或いはメモリ５２及び或いは不揮発性メモリ５６に記憶する。無線パラメータの取得に際しては、記録媒体２００を介して情報のやりとりをすることが可能である。また、ＵＳＢ等の有線インターフェースにより、撮像装置１００と画像処理装置３００をケーブルを用いて接続し、無線パラメータの取得のやりとりを行うことも可能である。記憶した無線パラメータは、撮像装置１００が、画像処理装置３００等の無線機能を備える機器と無線接続を行う場合に使用する。接続先の登録処理を終えたならば、ステップＳ１０２に戻る。
【００８３】
ステップＳ１０９において、システム制御回路５０は、無線接続を開始するために、操作部７０に含まれる通信開始ボタンが押されているか否かを判断する。押されていればステップＳ１１４に進み、押されていなければ、ステップＳ１１０に進んでシステム制御回路５０は、無線接続を行わずに撮像装置１００の各種動作を実行する。なお、ステップＳ１１０で行う処理は、従来の撮像装置で行われる処理と同様であるため、ここでは説明を省略する。各種動作を終了すると、ステップＳ１０２に戻る。
【００８４】
一方、ステップＳ１１４において、システム制御回路５０は、モードダイアルスイッチ６０の設定状態を判断する。動画撮影モードに設定されていたならば、システム制御回路５０は、通知部５４及び或いは画像表示部２８を用いて画像や音声により所定の警告を行い（ステップＳ１１５）、ステップＳ１０２に戻る。この処理は、以下の理由による。即ち、通信回路１１０、アンテナ１１２、アンテナ３３２、通信回路３３０を介して撮像装置１００から画像処理装置３００に撮影中の動画を無線伝送するには伝送レートが不足することがある。そのため、動画撮影モードで無線接続を行おうとした時に所定の警告を行う。このように制御することにより、動画転送できないにも関わらず撮像装置１００の使用者が誤って動画モードで無線接続を行い、動画撮影を行うことを防止することができる。これにより、フレーム落ちしたり、途中で打ち切られたり、或いは一時停止したりする不完全な動画データの転送を行うことを防止することができる。
【００８５】
一方、モードダイヤルスイッチ６０が静止画撮影モード或いは再生モードに設定されていたならば（ステップＳ１１４でＮＯ）、以下の動作を行う。即ち、システム制御回路５０は、通信回路１１０、アンテナ１１２、アンテナ３３２、通信回路３３０を介して、画像処理装置３００との間の通信状態を確立するための接続確立処理を行う（ステップＳ１１６）。接続確立処理を実行した結果、撮像装置１００と画像処理装置３００との間で通信が確立しなかったならば（ステップＳ１１７でＮＯ）、ステップＳ１１８に進む。そして、システム制御回路５０は、通知部５４及び或いは画像表示部２８を用いて画像や音声により所定の警告を行った後、ステップＳ１２５に進む。
【００８６】
接続確立処理を実行した結果、撮像装置１００と画像処理装置３００との間で通信が確立したならば（ステップＳ１１７でＹＥＳ）、システム制御回路５０は、モードダイアルスイッチ６０の設定状態を判断する（ステップＳ１１９）。
【００８７】
モードダイアルスイッチ６０が静止画撮影モードに設定されていたならば（ステップＳ１１９でＹＥＳ）、以下の処理を行う。即ち、システム制御回路５０は、通信回路１１０、アンテナ１１２、アンテナ３３２、通信回路３３０を介して、画像処理装置３００に動作モードが静止画撮影モードであることを通知し、撮影同時転送処理（ステップＳ１２０）を実行する。なお、この撮影同時転送処理（ステップＳ１２０）の詳細は、図５及び図６を用いて後述する。
【００８８】
撮影同時転送処理を終えたならば、ステップＳ１２５に進む。
【００８９】
一方、モードダイアルスイッチ６０が再生モードに設定されていたならば（ステップＳ１１９でＮＯ）、以下の処理を行う。即ち、システム制御回路５０は、通信回路１１０、アンテナ１１２、アンテナ３３２、通信回路３３０を介して、画像処理装置３００に動作モードが再生モードであることを通知する。そして、画像処理装置３００にPC制御モードの問い合わせを行う（ステップＳ１２１）。
【００９０】
問い合わせの結果、画像処理装置３００において、PCダイレクト転送モード（DT）が選択されていたならば（ステップＳ１２２でＤＴ）、システム制御回路５０は、PCダイレクト転送処理（ステップＳ１２３）を実行する。なお、このPCダイレクト転送処理（ステップＳ１２３）の詳細は、図７を用いて後述する。
【００９１】
PCダイレクト転送処理を終えたならば、ステップＳ１２５に進む。
【００９２】
ステップＳ１２１の問い合わせの結果、画像処理装置３００において、リモートキャプチャーモード（RC）が選択されていたならば（ステップＳ１２２でＲＣ）、システム制御回路５０は、リモートキャプチャー処理（ステップＳ１２４）を実行する。なお、このリモートキャプチャー処理（ステップＳ１２４）の詳細は、図８を用いて後述する。
【００９３】
リモートキャプチャー処理を終えたならば、ステップＳ１２５に進む。
【００９４】
ステップＳ１２５において、システム制御回路５０は、無線接続を切断するために、操作部７０に含まれる通信終了ボタンが押されているか否かを判断する。通信終了ボタンが押されていなければ、ステップＳ１０２に戻る。
【００９５】
通信終了ボタンが押されていたならば、システム制御回路５０は、通信回路１１０、アンテナ１１２、アンテナ３３２、通信回路３３０を介して、画像処理装置３００との間の無線を切断する処理を行う（ステップＳ１２６）。そして、ステップＳ１０２に戻る。
【００９６】
図５及び図６は、図４のステップＳ１２０における撮影同時転送処理の詳細を示すフローチャートである。
【００９７】
ステップＳ１３１において、システム制御回路５０は、通信回路１１０、アンテナ１１２、アンテナ３３２、通信回路３３０を介して、画像処理装置３００との間の通信状態を確認する。電波の状態が悪くなったり、操作部７０に含まれる通信終了ボタンの押下などの理由により確立していた接続が切断され、画像処理装置３００との無線接続がされていなかったならば、ステップＳ１３２に進む。そして、システム制御回路５０は、通知部５４及び／或いは画像表示部２８を用いて画像や音声により所定の警告を行ってから、撮影同時転送処理ルーチン（ステップＳ１２０）を終了する。
【００９８】
画像処理装置３００との無線接続がされていればステップＳ１３３に進み、シャッタースイッチＳＷ１の状態を確認する。シャッタースイッチＳＷ１が押されていなければ、撮影同時転送処理ルーチン（ステップＳ１２０）を終了する。
【００９９】
シャッタースイッチＳＷ１が押されたならば（ステップＳ１３３でＯＮ）、メモリ３０に確保したバッファ領域に、少なくとも１枚分の画像データを記憶する容量が残されているかどうかを判断する（ステップＳ１３４）。空き容量が無ければ、システム制御回路５０は、表示部５４及び或いは画像表示部２８を用いて画像や音声により所定の警告を行う（ステップＳ１３７）。そして、メモリ３０に確保したバッファ領域から通信回路１１０、アンテナ１１２を介して画像処理装置３００に向けて未転送画像データの転送を開始し（ステップＳ１３８）、撮影同時転送処理ルーチン（ステップＳ１２０）を終了する。なお、OVF撮影状態においては画像表示部２８がOFFに設定されているため、画像表示部２８をONにしてから画像表示部２８に文字やアイコンや画像による所定の警告を行うことになる。
【０１００】
メモリ３０に確保したバッファ領域に空き容量があれば、記録媒体２００が装着されているかどうかの判断、記録媒体２００に記録された画像データの管理情報の取得をする。更に、記録媒体２００の動作状態が撮像装置１００の動作、特に記録媒体に対する画像データの記録再生動作に問題があるか否かの判断を行う（ステップＳ１３５）。問題が無いならばステップＳ１３９に進む。
【０１０１】
一方、問題があるならば、ステップＳ１３６に進み、システム制御回路５０は、メモリ３０に確保したバッファ領域に、撮像装置１００から画像処理装置３００に向けて未転送の画像データが有るかどうかを判断する。未転送画像データが無いならば（ステップＳ１３６でＮＯ）、ステップＳ１３９に進む。
【０１０２】
未転送画像データがあるならば（ステップＳ１３６でＹＥＳ）、ステップＳ１３７で上述した警告を行ってから、ステップＳ１３８で未転送画像データの転送を開始し、撮影同時転送処理ルーチン（ステップＳ１２０）を終了する。なお、OVF撮影状態においては画像表示部２８がOFFに設定されているため、画像表示部２８をONにしてから画像表示部２８に文字やアイコンや画像による所定の警告を行うことになる。
【０１０３】
以上のように、画像処理装置３００との間で無線接続状態であり、かつ、記録媒体２００が使用できない状態であり、かつ、メモリ３０に確保したバッファー領域に画像処理装置３００に未転送の画像があったならば、撮影を禁止して警告を行う。そして、未転送画像を画像処理装置３００に転送する。このように、記録媒体２００が使用できない場合には、前回までに撮影した画像の転送が終了するまでは撮影を禁止する。これにより、撮影した画像の保存が不確実であるにも関わらず、撮像装置１００の使用者が、撮影した画像が全て確実に保存できると勘違いして、撮影を継続してしまうことを防止することができる。
【０１０４】
ステップＳ１３９において、システム制御回路５０は、測距処理を行って撮影レンズ１０の焦点を被写体に合わせ、測光処理を行って絞り値及びシャッタ時間を決定し、ホワイトバランス処理を行って色温度を合わせる。測光の結果、必要であればフラッシュの設定も行う。なお、この測距・測光処理では、システム制御回路５０の内部メモリ或いはメモリ５２に記憶された撮影開始フラグ及び／或いはＡＥロックフラグ及び／或いはホワイトバランスモード設定フラグを確認する。そして、その状態に応じて、ＡＥ制御及び／或いはＡＷＢ制御の実行の可否を判断し、判断結果に応じて各々の処理を行う。なお、ここで行われる測距・測光処理の詳細は、図９を参照して後述する。
【０１０５】
測距・測光処理（ステップＳ１３９）を終えたならば、システム制御回路５０は、システム制御回路５０の内部メモリ或いはメモリ５２に記憶されたフラッシュフラグの状態を判断する（ステップＳ１４０）。フラッシュフラグが設定されていたならば、フラッシュ４８の充電を行い（ステップＳ１４１）、ステップＳ１４２に進む。フラッシュフラグが解除されていたならば、直接ステップＳ１４２に進む。
【０１０６】
システム制御回路５０は、シャッタースイッチＳＷ２が押されずに（ステップＳ１４２でＯＦＦ）、更にシャッタースイッチＳＷ１も解除されたならば（ステップＳ１４３でＯＦＦ）、撮影同時転送処理ルーチン（ステップＳ１２０）を終了する。シャッタースイッチＳＷ１が押されたままであったならば（ステップＳ１４３でＯＮ）、再びステップＳ１４２に戻る。
【０１０７】
シャッタースイッチＳＷ２が押されたならば（ステップＳ１４２でＯＮ）、メモリ３０に確保したバッファ領域に、少なくとも１枚分の画像データを記憶する容量が残されているかどうかを判断する（ステップＳ１４４）。空き容量が無ければ、システム制御回路５０は、表示部５４及び或いは画像表示部２８を用いて画像や音声により所定の警告を行う（ステップＳ１４７）。そして、メモリ３０に確保したバッファ領域から通信回路１１０、アンテナ１１２を介して画像処理装置３００に向けて未転送画像データの転送を開始し（ステップＳ１４８）、撮影同時転送処理ルーチン（ステップＳ１２０）を終了する。なお、OVF撮影状態においては画像表示部２８がOFFに設定されているため、画像表示部２８をONにしてから画像表示部２８に文字やアイコンや画像による所定の警告を行うことになる。
【０１０８】
メモリ３０に確保したバッファ領域に空き容量があれば、記録媒体２００が装着されているかどうかの判断、記録媒体２００に記録された画像データの管理情報の取得をする。更に、記録媒体２００の動作状態が撮像装置１００の動作、特に記録媒体に対する画像データの記録再生動作に問題があるか否かの判断を行う（ステップＳ１４５）。問題がなければ、図６のステップＳ１５１に進む。
【０１０９】
一方、問題があるならば、ステップＳ１４６に進み、システム制御回路５０は、メモリ３０に確保したバッファ領域に、撮像装置１００から画像処理装置３００に向けて未転送の画像データが有るかどうかを判断する。未転送画像データが無いならば（ステップＳ１４６でＮＯ）、図６のステップＳ１５１に進む。
【０１１０】
未転送画像データがあるならば（ステップＳ１４６でＹＥＳ）、ステップＳ１４７で上述した警告を行ってから、ステップＳ１４８で未転送画像データの転送を開始し、撮影同時転送処理ルーチン（ステップＳ１２０）を終了する。なお、OVF撮影状態においては画像表示部２８がOFFに設定されているため、画像表示部２８をONにしてから画像表示部２８に文字やアイコンや画像による所定の警告を行うことになる。
【０１１１】
以上のように、画像処理装置３００との間で無線接続状態であり、かつ、記録媒体２００が使用できない状態であり、かつ、メモリ３０に確保したバッファー領域に画像処理装置３００に未転送の画像があったならば、撮影を禁止して警告を行う。そして、未転送画像を画像処理装置３００に転送する。このように、記録媒体２００が使用できない場合には、撮像装置１００の使用者がシャッタースイッチＳＷ２（６４）を押した場合であっても、前回までに撮影した画像の転送が終了するまでは撮影を禁止する。これにより、画像の保存が不確実な場合に撮影を行わないようにするとともに、撮像装置１００の使用者が、撮影した画像が全て確実に保存できると勘違いして、撮影を継続してしまうことを防止することができる。
【０１１２】
図６のステップＳ１５１において、システム制御回路５０は撮影処理を実行する。この撮影処理では、撮像素子１４、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む。なお、ここで行われる撮影処理の詳細は、図１０を参照して後述する。
【０１１３】
次に、システム制御回路５０は、メモリ制御回路２２そして必要に応じて画像処理回路２０を用いて、メモリ３０に書き込まれた画像データを読み出して各種処理を行う現像処理を実行する（ステップＳ１５２）。更に、必要に応じて、圧縮・伸長回路３２を用いて設定したモードに応じた画像圧縮処理を行った後（ステップＳ１５３）、画像表示部２８によりステップＳ１５２で現像処理を行った撮影画像のレビュー表示を行う（ステップＳ１５４）。そして、ステップＳ１５５に進む。
【０１１４】
ステップＳ１５５において、システム制御回路５０は、システム制御回路５０は、記録媒体２００が装着されているかどうかの判断、記録媒体２００に記録された画像データの管理情報の取得をする。更に、記録媒体２００の動作状態が撮像装置１００の動作、特に記録媒体２００に対する画像データの記録再生動作に問題があるか否かの判断を行う。
【０１１５】
記録媒体２００の動作状態に問題が無いならば（ステップＳ１５５でＹＥＳ）、メモリ３０に確保したバッファ領域に、現像処理、圧縮処理等の所定の処理を行った画像データを記憶する（ステップＳ１５８）。更に、バッファ領域に記憶した画像データを、インターフェース９０、コネクタ９２を介して、記録媒体２００に記録し、ステップＳ１６１に進む。
【０１１６】
一方、判断の結果、記録媒体２００の動作状態に問題があるならば（ステップＳ１５５でＮＯ）、ステップＳ１５６に進む。ステップＳ１５６では、システム制御回路５０は、メモリ３０に確保したバッファ領域に、撮像装置１００から画像処理装置３００に向けて未転送の画像データが有るかどうかを判断する。未転送画像データが無いならば（ステップＳ１５６でＮＯ）、バッファに撮影した画像データを記憶し（ステップＳ１５９）、ステップＳ１６１に進む。
【０１１７】
ステップＳ１６１では、バッファ領域に記憶されている画像データの転送を開始する。
【０１１８】
一方、未転送画像データがあるならば（ステップＳ１５６でＹＥＳ）、システム制御回路５０は、表示部５４及び或いは画像表示部２８を用いて画像や音声により所定の警告を行い（ステップＳ１５７）、ステップＳ１６１に進む。この場合、ステップＳ１５１で新たに撮影された画像データはバッファに記憶されないので、ステップＳ１６１ではバッファに残ってる未転送の画像データの転送を開始し、撮影同時転送処理ルーチン（ステップＳ１２０）を終了する。なお、OVF撮影状態においては画像表示部２８がOFFに設定されているため、画像表示部２８をONにしてから画像表示部２８に文字やアイコンや画像による所定の警告を行うことになる。
【０１１９】
以上のように、画像処理装置３００との間で無線接続状態であり、かつ、記録媒体２００が使用できない状態であり、かつ、メモリ３０に確保したバッファ領域に画像処理装置３００に未転送の画像があったならば、以下のように制御する。即ち、空撮り撮影を行った後に、レビュー表示を行い、更に警告を行う。このように、記録媒体２００が使用できない場合には、撮像後であっても、前回までに撮影した画像の転送が終了するまではバッファへの記憶を禁止する。これにより、画像の転送が不確実な場合に撮影した画像の記憶を行わないようにするとともに、撮像装置１００の使用者が、撮影した画像が全て確実に保存できると勘違いして、撮影を継続してしまうことを防止することができる。
【０１２０】
次に、ステップＳ１６２において、システム制御回路５０は、シャッタースイッチＳＷ１の状態を確認し、シャッタースイッチＳＷ１が押されていたならば、ステップＳ１３１に戻る。シャッタースイッチＳＷ１が押されていないならば、撮影同時転送処理ルーチン（ステップＳ１２０）を終了する。
【０１２１】
図７は、図４のステップＳ１２３におけるPCダイレクト転送処理の詳細なフローチャートを示す。
【０１２２】
ステップ１２３において、システム制御回路５０は、通信回路１１０、アンテナ１１２、アンテナ３３２、通信回路３３０を介して、画像処理装置３００との間の通信状態を確認する。電波の状態が悪くなったり、操作部７０に含まれる通信終了ボタンの押下などの理由により確立していた接続が切断され、画像処理装置３００との無線接続がされていなかったならば、ステップＳ１７２に進む。そして、システム制御回路５０は、通知部５４及び／或いは画像表示部２８を用いて画像や音声により所定の警告を行ってから、PCダイレクト転送処理ルーチン（ステップＳ１２３）を終了する。
【０１２３】
画像処理装置３００との無線接続がされているならば、ステップＳ１７３に進む。
【０１２４】
ステップＳ１７３において、システム制御回路５０は、記録媒体２００及び／或いはメモリ３０に確保したバッファ領域に、撮像装置１００から画像処理装置３００に向けて転送する画像データ等のファイルが有るかどうかを判断する。転送する画像データ等のファイルが無いならば、PCダイレクト転送処理ルーチン（ステップＳ１２３）を終了する。一方、転送する画像データ等のファイルがあるならば、ステップＳ１７４に進む。
【０１２５】
ステップＳ１７４において、システム制御回路５０は、記録媒体２００及び／或いは、メモリ３０に確保したバッファ領域から画像処理装置３００に向けて転送すべき画像データ等のファイルの転送を行い、ステップＳ１７５に進む。記録媒体２００からは、コネクタ９２、インターフェース９０、通信回路１１０、アンテナ１１２を介して、また、メモリ３０のバッファ領域からは通信回路１１０、アンテナ１１２を介して、ファイルが転送される。
【０１２６】
転送が終了するまで（即ち、ステップＳ１７５でＮＯの間）、ステップＳ１７４に戻って転送を続け、終了したならば（ステップＳ１７５でＹＥＳ）、PCダイレクト転送処理ルーチン（ステップＳ１２０）を終了する。
【０１２７】
図８は、図４のステップＳ１２４におけるリモートキャプチャー処理の詳細なフローチャートを示す。
【０１２８】
ステップＳ１８１において、システム制御回路５０は、通信回路１１０、アンテナ１１２、アンテナ３３２、通信回路３３０を介して、画像処理装置３００との間の通信状態を確認する。電波の状態が悪くなったり、操作部７０に含まれる通信終了ボタンの押下などの理由により確立していた接続が切断され、画像処理装置３００との無線接続がされていなかったならば、ステップＳ１８２に進む。そして、システム制御回路５０は、通知部５４及び／或いは画像表示部２８を用いて画像や音声により所定の警告を行ってから、リモートキャプチャー処理ルーチン（ステップＳ１２４）を終了する。
【０１２９】
画像処理装置３００との無線接続がされていればステップＳ１８３に進み、システム制御回路５０は、通信回路３３０、アンテナ３３２、アンテナ１１２、通信回路１１０を介して、画像処理装置３００からコマンドを受信したかどうかを判断する。
【０１３０】
画像処理装置３００からコマンドを受信していなかったならば（ステップＳ１８３でＮＯ）、ステップＳ１９５に進む。画像処理装置３００からコマンドを受信したならば（ステップＳ１８３でＹＥＳ）、システム制御回路５０はコマンドの内容を判断する。受信したコマンドが撮影に関するコマンド以外であったならば（ステップＳ１８４でＮＯ）、システム制御回路５０は、コマンドに応じた処理を実行し（ステップＳ１８５）、ステップＳ１９５に進む。一方、受信したコマンドが撮影コマンドであったならば（ステップＳ１８４でＹＥＳ）、ステップＳ１８６に進む。
【０１３１】
システム制御回路５０は、測距処理を行って撮影レンズ１０の焦点を被写体に合わせ、測光処理を行って絞り値及びシャッタ時間を決定し、ホワイトバランス処理を行って色温度を合わせる（ステップＳ１８６）。測光の結果、必要であればフラッシュの設定も行う。なお、この測距・測光処理では、システム制御回路５０の内部メモリ或いはメモリ５２に記憶された撮影開始フラグ及び／或いはＡＥロックフラグ及び／或いはホワイトバランスモード設定フラグを確認する。そして、その状態に応じて、ＡＥ制御及び／或いはＡＷＢ制御の実行の可否を判断し、判断結果に応じて各々の処理を行う。なお、ここで行われる測距・測光処理の詳細は、図９を参照して後述する。
【０１３２】
測距・測光処理（ステップＳ１８６）を終えたならば、システム制御回路５０は、撮影処理を実行する（ステップＳ１８７）。この撮影処理では、撮像素子１４、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む。なお、ここで行われる撮影処理の詳細は、図１０を参照して後述する。
【０１３３】
次に、システム制御回路５０は、メモリ制御回路２２そして必要に応じて画像処理回路２０を用いて、メモリ３０に書き込まれた画像データを読み出して各種処理を行う現像処理を実行する（ステップＳ１８８）。更に、必要に応じて、圧縮・伸長回路３２を用いて設定したモードに応じた画像圧縮処理を行った後（ステップＳ１８９）、ステップＳ１９０に進む。
【０１３４】
ステップＳ１９０において、システム制御回路５０は、メモリ３０に確保したバッファ領域に、現像処理及び圧縮処理等の所定の処理を行った画像データを記憶して、ステップＳ１９１に進む。
【０１３５】
ステップＳ１９１では、システム制御回路５０は、記録媒体２００が装着されているかどうかの判断を行い、記録媒体２００に記録された画像データの管理情報の取得する。そして、記録媒体２００の動作状態が撮像装置１００の動作、特に記録媒体に対する画像データの記録再生動作に問題があるか否かの判断を行う。問題があるならば、直接ステップＳ１９３に進む。問題が無いならば、メモリ３０に確保したバッファ領域からインターフェース９０、コネクタ９２を介して記録媒体２００に対して画像データの記録を開始し（ステップＳ１９２）、ステップＳ１９３に進む。
【０１３６】
ステップＳ１９３では、システム制御回路５０は、メモリ３０に確保したバッファ領域から通信回路１１０、アンテナ１１２を介して画像処理装置３００に向けて撮影してバッファに記憶した画像データの転送を行う。画像処理装置３００への画像転送が確実に終了したならば（ステップＳ１９４でＹＥＳ）、ステップＳ１９５に進む。
【０１３７】
以上のように、画像処理装置３００との間で無線接続状態であり、かつ、リモートキャプチャー撮影動作状態であり、かつ、記録媒体２００が使用できない状態である場合、以下のように制御する。即ち、画像処理装置３００へのリモートキャプチャー静止画の画像１枚の画像転送が完了しないと、新たなリモートキャプチャー静止画の画像撮影を開始できない仕組みとする。リモートキャプチャー撮影時は無線接続での撮影であっても撮影禁止にしないと共に警告も行わないようにすることが可能となり、リモートキャプチャー時の操作性が煩雑になることを防止して使い易くすることが可能となる。
【０１３８】
システム制御回路５０は、撮像装置１００側の都合でリモートキャプチャー処理を中断する必要が発生した場合は（ステップＳ１９５でＹＥＳ）、リモートキャプチャー処理ルーチン（ステップＳ１２４）を終了する。
【０１３９】
撮像装置１００側の都合でリモートキャプチャー処理を中断する必要が発生していないならば（ステップＳ１９５でＮＯ）、ステップＳ１８１に戻り、無線接続中であればステップＳ１８３において画像処理装置３００から新たなコマンドによる指示を待つ。
【０１４０】
図９は、図５のステップＳ１３７及び図８のステップＳ１８６で行われる測距・測光処理の詳細なフローチャートを示す。
【０１４１】
システム制御回路５０は、撮像素子１４から電荷信号を読み出し、Ａ／Ｄ変換器１６を介して画像処理回路２０に画像データを逐次読み込む（ステップＳ２０１）。この逐次読み込まれた画像データを用いて、画像処理回路２０はＴＴＬ方式のＡＥ処理、ＥＦ処理、ＡＦ処理に用いる所定の演算を行う。
なお、ここでの各処理は、撮影した全画素数のうちの必要に応じた特定の部分を必要個所分切り取って抽出し、演算に用いる。これにより、ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【０１４２】
システム制御回路５０は、画像処理回路２０での演算結果を用いて露出（ＡＥ）が適正と判断されるまで（ステップＳ２０２でＹＥＳとなるまで）、露光制御部４０を用いてＡＥ制御を行う（ステップＳ２０３）。そしてステップＳ２０４に進み、システム制御回路５０は、ＡＥ制御で得られた測定データを用いてフラッシュが必要か否かを判断する。フラッシュが必要ならば（ステップＳ２０４でＹＥＳ）フラッシュ・フラグをセットし、フラッシュ４８を充電する（ステップＳ２０５）。
【０１４３】
露出（ＡＥ）が適正と判断したならば（ステップＳ２０２でＹＥＳ）、測定データ及び／或いは設定パラメータをシステム制御回路５０の内部メモリ或いはメモリ５２に記憶する。
【０１４４】
次に、画像処理回路２０での演算結果及びＡＥ制御で得られた測定データを用いて、システム制御回路５０はホワイトバランス（ＡＷＢ）が適正かどうか判断する。適正であると判断されるまで（ステップＳ２０６でＹＥＳとなるまで）、画像処理回路２０を用いて色処理のパラメータを調節してＡＷＢ制御を行う（ステップＳ２０７）。
【０１４５】
ＡＷＢが適正と判断したならば（ステップＳ２０６でＹＥＳ）、測定データ及び／或いは設定パラメータをシステム制御回路５０の内部メモリ或いはメモリ５２に記憶する。
【０１４６】
次に、画像処理回路２０での演算結果及びＡＥ制御及びＡＷＢ制御で得られた測定データを用いて、システム制御回路５０は測距（ＡＦ）を行う。そして、その結果が合焦と判断されるまで（ステップＳ２０８でＮＯの間）、測距制御部４２を用いてＡＦ制御を行う（ステップＳ２０９）。
【０１４７】
測距（ＡＦ）の結果、合焦と判断したならば（ステップＳ２０８でＹＥＳ）、測定データ及び／或いは設定パラメータをシステム制御回路５０の内部メモリ或いはメモリ５２に記憶し、測距・測光処理ルーチンを終了する。
【０１４８】
図１０は、図６のステップＳ１５１及び図１８７における撮影処理の詳細なフローチャートを示す。
【０１４９】
システム制御回路５０は、ステップＳ３０１において、システム制御回路５０の内部メモリ或いはメモリ５２に記憶される測光データを読み出す。そして、露光制御部４０により、絞り機能を有するシャッター１２を読み出した測光データに対応する絞り値に応じて開放して、撮像素子１４の露光を開始する（ステップＳ３０２）。
【０１５０】
ステップＳ３０３で、フラッシュ・フラグがセットされているかをチェックしてフラッシュ４８が必要か否かを判断し、必要な場合にはフラッシュ４８を発光させる（ステップＳ３０４）。システム制御回路５０は、測光データに従って撮像素子１４の露光終了を待ち（ステップＳ３０５）、シャッター１２を閉じて（ステップＳ３０６）、撮像素子１４から電荷信号を読み出す。そして、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む（ステップＳ３０７）。
【０１５１】
一連の処理を終えたならば、撮影処理ルーチン（ステップＳ１６１）を終了する。
【０１５２】
＜画像処理装置３００の動作説明＞
次に、図１１を参照して、本実施の形態における画像処理装置３００の動作を説明する。
【０１５３】
図１において、電池交換等の電源投入により、システム制御回路３５０はフラグや制御変数等を初期化すると共に、画像処理装置３００各部の初期化処理を行う（ステップＳ２００１）。
【０１５４】
次に、システム制御回路３５０は、操作部３６２に含まれる電源スイッチの状態を確認する（ステップＳ２００２）。そして、電源OFFに設定されていたならば、システム制御回路３５０は、各表示部の表示を終了状態に変更し、フラグや制御変数等を含む必要なパラメータや設定値、設定モードを不揮発性メモリ３５４に記録する。システム制御回路３５０は、電源制御部３８０により画像表示部３２４を含む画像処理装置３００各部の不要な電源を遮断する等の所定の終了処理を行った後（ステップＳ２００３）、ステップＳ２００２に戻る。ステップＳ２００２で電源ONに設定されていたならば、ステップＳ２００４に進む。
【０１５５】
ステップＳ２００４において、システム制御回路５０は、電源制御部３８０により電池等により構成される電源３８６の残容量や動作情況が画像処理装置３００の動作に問題があるか否かを判断する。問題があるならば（ステップＳ２００４でＮＯ）、通知部３６０及び或いは画像表示部３２４を用いて画像や音声により所定の警告を行った後に（ステップＳ２００５）、上述したステップＳ２００３の処理を行い、ステップＳ２００２に戻る。
【０１５６】
一方、電源３８６に問題が無いならば（ステップＳ２００４でＹＥＳ）、ステップＳ２００６に進む。そして、システム制御回路３５０は、通知部３６０及び或いは画像表示部３２４を用いて画像や音声により電池残容量やメモリ３２０の状態を含む画像処理装置３００の各種設定状態の表示を行った後、ステップＳ２００７に進む。
【０１５７】
システム制御回路３５０は、操作部３６２に含まれる接続先の登録（ペアリング）ボタンが押されているかどうかを判断する（ステップＳ２００７）。接続先の登録（ペアリング）ボタンが押されていたならば、システム制御回路３５０は、通信回路３３０、アンテナ３３２、アンテナ１１２、通信回路１１０を介して、撮像装置１００との間で、接続先の登録処理を実行する（ステップＳ２００８）。
【０１５８】
ステップＳ２００８においては、画像処理装置３００が撮像装置１００等の無線機能を備える機器と無線接続するために必要な接続相手の無線パラメータを事前に取得する。そして、画像処置装置３００内部のシステム制御回路３５０の内部メモリ及び或いはメモリ３５２及び或いは不揮発性メモリ３５４に記憶する。無線パラメータの取得に際しては、記録媒体２００を介して情報のやりとりをすることが可能である。また、不図示のＵＳ２等の有線インターフェースにより、画像処理装置３００と撮像装置１００をケーブルを用いて接続し、無線パラメータの取得のやりとりを行うことも可能である。記憶した無線パラメータは、画像処理装置３００が撮像装置１００等の無線機能を備える機器と無線接続を行う場合に使用する。
【０１５９】
接続先の登録処理を終えたならば、ステップＳ２００２に戻る。
【０１６０】
一方、接続先の登録（ペアリング）ボタンが押されていないならば（ステップＳ２００７でＮＯ）、ステップＳ２００９に進む。ステップＳ２００９では、システム制御回路３５０は、無線接続を開始するために、操作部３６２に含まれる通信開始ボタンが押されているか否かを判断する。通信開始ボタンが押されていないならば、ステップＳ２００２に戻る。
【０１６１】
通信開始ボタンが押されていたならば、システム制御回路３５０は、通信回路３３０、アンテナ３３２、アンテナ１１２、通信回路１１０を介して、撮像装置１００との間の通信状態を確立するための接続確立処理を行う（ステップＳ２０１０）。撮像装置１００との通信が確立しなかったならば（ステップＳ２０１１でＮＯ）、システム制御回路３５０は、通知部３６０及び或いは画像表示部３２４を用いて画像や音声により所定の警告を行い（ステップＳ２０１２）、ステップＳ２０２０に進む。
【０１６２】
一方、撮像装置１００との通信が確立したならば（ステップＳ２０１１でＹＥＳ）、システム制御回路３５０は、通信回路１１０、アンテナ１１２、アンテナ３３２、通信回路３３０を介して、撮像装置１００の動作モードを受信する（ステップＳ２０１３）。
【０１６３】
ステップＳ２０１４において、受信した撮像装置１００の動作モードが静止画撮影モードであったならば、システム制御回路３５０は、撮影同時受信処理（ステップＳ２０１５）を実行する。なお、ステップＳ２０１５で行われる撮影同時受信処理の詳細は、図１２を用いて後述する。撮影同時受信処理を終えたならば、ステップＳ２０２０に進む。
【０１６４】
一方、ステップＳ２０１４において、受信した撮像装置１００の動作モードが再生モードであったならば、ステップＳ２０１６に進む。ステップＳ２０１６において、システム制御回路３５０は、通知部３６０により撮像装置１００を操作するための表示（カメラウィンドウ）を行い、操作部３６２により撮像装置１００を制御する制御モードの選択を受け付ける。
【０１６５】
そして、ステップＳ２０１７において、操作部３６２により入力された制御モードが「PCダイレクト転送モード(DT)」であったならば、システム制御回路３５０は、PCダイレクト受信処理（ステップＳ２０１８）を実行する。このステップＳ２０１８におけるPCダイレクト受信処理の詳細は、図１３を用いて後述する。PCダイレクト受信処理を終えたならば、ステップＳ２０２０に進む。
【０１６６】
一方、操作部３６２により入力された制御モードが「リモートキャプチャーモード(RC)」であったならば、システム制御回路３５０は、リモートキャプチャー制御処理（ステップＳ２０１９）を実行する。このステップＳ２０１９におけるリモートキャプチャー制御処理の詳細は、図１４を用いて後述する。リモートキャプチャー制御処理を終えたならば、ステップＳ２０２０に進む。
【０１６７】
ステップＳ２０２０において、システム制御回路３５０は、無線接続を切断するために、操作部３６２に含まれる通信終了ボタンが押されているか否かを判断する。通信終了ボタンが押されていないならば、ステップＳ２００２に戻る。通信終了ボタンが押されていたならば、システム制御回路３５０は、通信回路３３０、アンテナ３３２、アンテナ１１２、通信回路１１０を介して、撮像装置１００との間の無線を切断する処理を行い（ステップＳ２０２１）、ステップ２００２に戻る。
【０１６８】
図１２は、図１１のステップＳ２０１５における撮影同時受信処理の詳細なフローチャートを示す。
【０１６９】
まず、システム制御回路３５０は、通信回路３３０、アンテナ３３２、アンテナ１１２、通信回路１１０を介して、撮像装置１００との間の通信状態を確認する（ステップＳ２１０１）。撮像装置１００との無線接続がされていなかったならば、システム制御回路３５０は、通知部３６０及び或いは画像表示部３２４を用いて画像や音声により所定の警告を行う（ステップＳ２１０２）。そして、撮影同時受信処理ルーチン（ステップＳ２０１５）を終了する。一方、撮像装置１００との無線接続がされているならば（ステップＳ２１０１でＹＥＳ）、ステップＳ２１０３に進む。
【０１７０】
ステップＳ２１０３では、システム制御回路３５０は、通信回路１１０、アンテナ１１２、アンテナ３３２、通信回路３３０を介して、撮像装置１００から画像処置装置３００に画像が送信されるかどうかを判断する。受信する画像が無いならば（ステップＳ２１０３でＮＯ）、撮影同時受信処理ルーチン（ステップＳ２０１５）を終了する。
【０１７１】
受信する画像があるならば（ステップＳ２１０３でＹＥＳ）、システム制御回路３５０は、通信回路１１０、アンテナ１１２、アンテナ３３２、通信回路３３０を介して、撮像装置１００から画像を受信してメモリ３２０に保存する（ステップＳ２１０４）。撮像装置１００からの画像受信が終了したならば（ステップＳ２１０５でＹＥＳ）、ステップＳ２１０６に進む。そして、システム制御回路３５０は、メモリ３２０に記憶した撮像装置１００から受信した画像を、インターフェース３９０、コネクタ３９２を介して、記録媒体２００に記録し、記録を終えたならば、撮影同時受信処理ルーチン（ステップＳ２０１５）を終了する。
【０１７２】
次に、図１１のステップＳ２０１８で行われるPCダイレクト受信処理の詳細について、図１３のフローチャートを参照して説明する。
【０１７３】
まず、システム制御回路３５０は、通信回路３３０、アンテナ３３２、アンテナ１１２、通信回路１１０を介して、撮像装置１００との間の通信状態を確認する（ステップＳ２２０１）。撮像装置１００との無線接続がされていなかったならば、システム制御回路３５０は、通知部３６０及び或いは画像表示部３２４を用いて画像や音声により所定の警告を行う（ステップＳ２２０２）。そして、PCダイレクト受信処理（ステップＳ２０１８）を終了する。一方、撮像装置１００との無線接続がされているならば、ステップＳ２２０３に進む。
【０１７４】
ステップＳ２２０３では、システム制御回路３５０は、通信回路１１０、アンテナ１１２、アンテナ３３２、通信回路３３０を介して、撮像装置１００から画像処置装置３００に画像データ等のファイルが送信されるかどうかを判断する。受信する画像データ等のファイルが無いならば（ステップＳ２１０３でＮＯ）、PCダイレクト受信処理ルーチン（ステップＳ２０１８）を終了する。
【０１７５】
受信する画像データ等のファイルがあるならば（ステップＳ２２０３でＹＥＳ）、ステップＳ２２０４に進む。ステップＳ２２０４において、システム制御回路３５０は、通信回路１１０、アンテナ１１２、アンテナ３３２、通信回路３３０を介して、撮像装置１００から画像データ等のファイルを受信してメモリ３２０に保存する。撮像装置１００からの画像データ等のファイル受信が終了したならば（ステップＳ２２０５でＹＥＳ）、ステップＳ２２０６に進む。ステップＳ２２０６において、システム制御回路３５０は、メモリ３２０に記憶した撮像装置１００から受信した画像データ等のファイルを、インターフェース３９０、コネクタ３９２を介して、記録媒体２００に記録する。記録を終えたならば、PCダイレクト受信処理ルーチン（ステップＳ２０１８）を終了する。
【０１７６】
次に、図１１のステップＳ２０１９で行われるリモートキャプチャー制御処理の詳細について、図１４のフローチャートを参照して説明する。
【０１７７】
まず、システム制御回路３５０は、通信回路３３０、アンテナ３３２、アンテナ１１２、通信回路１１０を介して、撮像装置１００との間の通信状態を確認する（ステップＳ２３０１）。撮像装置１００との無線接続がされていなかったならば、システム制御回路３５０は、通知部３６０及び或いは画像表示部３２４を用いて画像や音声により所定の警告を行う（ステップＳ２３０２）。そして、リモートキャプチャー制御処理（ステップＳ２０１９）を終了する。一方、撮像装置１００との無線接続がされているならば、ステップＳ２３０３に進む。
【０１７８】
ステップＳ２３０３では、システム制御回路３５０は、通知部３６０により撮像装置１００を操作するための表示（カメラウィンドウ）を行い、操作部３６２により撮像装置１００でリモートキャプチャー撮影を実行する指示が入力されたか否かを判断する。リモートキャプチャー撮影を実行する指示が入力されていなければ、ステップＳ２３１０に進む。
【０１７９】
リモートキャプチャー撮影を行う指示が入力されたならば、通信回路３３０、アンテナ３３２、アンテナ１１２、通信回路１１０を介して、撮像装置１００に撮影コマンドを送信して（ステップＳ２３０４）、ステップＳ２３０５に進む。
【０１８０】
ステップＳ２３０５では、システム制御回路３５０は、通信回路１１０、アンテナ１１２、アンテナ３３２、通信回路３３０を介して、撮像装置１００から画像処置装置３００に画像が送信されるかどうかを判断する。受信する画像が無いならば（ステップＳ２３０５でＮＯ）、ステップＳ２３１０に進む。
【０１８１】
受信する画像があるならば（ステップＳ２３０５でＹＥＳ）、システム制御回路３５０は、通信回路１１０、アンテナ１１２、アンテナ３３２、通信回路３３０を介して、撮像装置１００から画像を受信してメモリ３２０に保存する（ステップＳ２３０６）。撮像装置１００からの画像受信が終了したならば（ステップＳ２３０７でＹＥＳ）、システム制御回路３５０は、メモリ３２０に記憶した撮像装置１００から受信した画像を、画像表示部３２４に表示する（ステップＳ２３０８）。
【０１８２】
更に、システム制御回路３５０は、メモリ３２０に記憶した撮像装置１００から受信した画像を、インターフェース３９０、コネクタ３９２を介して、記録媒体２００に記録し（ステップＳ２３０９）、記録を終えたならば、ステップＳ２３１０に進む。
【０１８３】
ステップＳ２３１０では、システム制御回路３５０は、操作部３６２によりリモートキャプチャー処理を終了する指示が入力されたかどうかを判断する。入力されていなければステップＳ２３０１に戻り、入力されたならば、リモートキャプチャー制御処理ルーチン（ステップＳ２０１９）を終了する。
【０１８４】
上記の通り、画像処理装置３００との間で無線接続状態であり、かつ、リモートキャプチャー撮影動作状態であり、かつ、記録媒体２００が使用できない状態である場合に以下のように制御する。即ち、画像処理装置３００へのリモートキャプチャー静止画の画像１枚の画像転送が完了しないと、新たなリモートキャプチャー静止画の画像撮影を開始できない仕組みとする。これにより、リモートキャプチャー撮影時は無線接続での撮影であっても撮影禁止にしないと共に警告も行わないようにすることが可能となり、リモートキャプチャー時の操作性が煩雑になることを防止して使い易くすることが可能となる。
【０１８５】
（その他の実施形態）
なお、上記の説明に於いては、単数の撮像装置１００と単数の画像処理装置３００との組み合わせとして説明を行った。しかしながら、本発明はこれに限るものではなく、単数或いは複数の任意の数の撮像装置と、単数或いは複数の任意の数の画像処理装置を組み合わせた撮像システムとして構成しても問題無い。
【０１８６】
また、記録媒体２００は画像処理装置３００と分離していて任意に接続可能なものとして説明したが、記録媒体２００が画像処理装置３００に固定したままとなっていても勿論問題無い。
【０１８７】
また、本発明の目的は、以下の様にして達成することも可能である。まず、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。
【０１８８】
また、コンピュータが読み出したプログラムコードを実行することにより、前述した実施形態の機能が実現されるだけでなく、以下のようにして達成することも可能である。即ち、読み出したプログラムコードの指示に基づき、コンピュータ上で稼働しているオペレーティングシステム（ＯＳ）などが実際の処理の一部または全部を行い、その処理によって前述した実施形態の機能が実現される場合である。ここでプログラムコードを記憶する記憶媒体としては、例えば、フレキシブルディスク、ハードディスク、ＲＯＭ、ＲＡＭ、磁気テープ、不揮発性のメモリカード、ＣＤ−ＲＯＭ、ＣＤ−Ｒ、ＤＶＤ、光ディスク、光磁気ディスク、ＭＯなどが考えられる。また、ＬＡＮ（ローカル・エリア・ネットワーク）やＷＡＮ（ワイド・エリア・ネットワーク）などのコンピュータネットワークを、プログラムコードを供給するために用いることができる。
【図面の簡単な説明】
【０１８９】
【図１】本発明の実施の形態におけるシステムの構成図である。
【図２】本発明の実施の形態における撮像装置の構成を示すブロック図である。
【図３】本発明の実施の形態における画像処理装置の構成を示すブロック図である。
【図４】本発明の実施の形態における撮像装置の主ルーチンを示すフローチャートである。
【図５】本発明の実施の形態における撮像装置の撮影同時転送処理ルーチンのフローチャートである。
【図６】本発明の実施の形態における撮像装置の撮影同時転送処理ルーチンのフローチャートである。
【図７】本発明の実施の形態における撮像装置のPCダイレクト転送処理ルーチンのフローチャートである。
【図８】本発明の実施の形態における撮像装置のリモートキャプチャー処理ルーチンのフローチャートである。
【図９】本発明の実施の形態における撮像装置の測距・測光ルーチンのフローチャートである。
【図１０】本発明の実施の形態における撮像装置の撮影ルーチンのフローチャートである。
【図１１】本発明の実施の形態における画像処理装置の主ルーチンのフローチャートである。
【図１２】本発明の実施の形態における画像処理装置の撮影同時受信処理ルーチンのフローチャートである。
【図１３】本発明の実施の形態における画像処理装置のPCダイレクト受信処理ルーチンのフローチャートである。
【図１４】本発明の実施の形態における画像処理装置のリモートキャプチャー制御処理ルーチンのフローチャートである。
【符号の説明】
【０１９０】
１０：撮影レンズ、１２：シャッター、１４：撮像素子、１６：Ａ／Ｄ変換器、１８：タイミング発生回路、２０：画像処理回路、２２：メモリ制御回路、２４：画像表示メモリ、２６：Ｄ／Ａ変換器、２８：画像表示部、３０：メモリ、３２：圧縮・伸長回路、４０：露光制御部、４２：測距制御部、４４：ズーム制御部、４６：バリア制御部、４８：フラッシュ、５０，３５０：システム制御回路、５２，３５２：メモリ、５４，３６０：通知部、５６：不揮発性メモリ、５８：識別情報記憶部、６０：モードダイアルスイッチ、６２：シャッタースイッチＳＷ１、６４：シャッタースイッチＳＷ２、６６：単写／連写スイッチ、７０，３６２：操作部、７２：メインスイッチ、８０，３８０：電源制御部、８２，８４，３８２，３８４：コネクタ、８６，３８６：電源、９０，３９０：入出力Ｉ／Ｆ、９２，３９２：コネクタ、９４，３６６：記録媒体着脱検知回路、１００，５００：撮像装置、１０２：バリア、１０４：光学ファインダ、１１０，３２６，３３０：通信回路、１１２，３２８，３３２：アンテナ、２００：記録媒体、２０２：記録部、２０４：インタフェース、２０６：コネクタ、２０８：識別情報記憶部、３００：画像処理装置、３１０：マイク、３１２：Ａ／Ｄ変換器、３１４：メモリ制御回路、３１６：Ｄ／Ａ変換器、３１８：スピーカー、３２０：メモリ、３２２：Ｄ／Ａ変換器、３２４：画像表示部、３５４：不揮発性メモリ、３５６：識別情報記憶部、３６４：着信通知部
【図１】
0004721418.tif 000002
【図２】
0004721418.tif 000003
【図３】
0004721418.tif 000004
【図４】
0004721418.tif 000005
【図５】
0004721418.tif 000006
【図６】
0004721418.tif 000007
【図７】
0004721418.tif 000008
【図８】
0004721418.tif 000009
【図９】
0004721418.tif 000010
【図１０】
0004721418.tif 000011
【図１１】
0004721418.tif 000012
【図１２】
0004721418.tif 000013
【図１３】
0004721418.tif 000014
【図１４】
0004721418.tif 000015